(57)【要約】【課題】デジタル字幕データの入っていない素材データや、既に重畳されているデジタル字幕データに対し、容易にデジタル字幕データを追加、編集することのできる番組バンクシステムの実現。【解決手段】少なくとも動画素材を編集して送出するバンクシステムにおいて、該バンクシステム内のマトリックススイッチャのリエントリー系統にデジタル字幕インサータを導入し、上記デジタル字幕インサータで、上記マトリックススイッチャのリエントリー系統を介して入力した、字幕データの入っていない素材データにデジタル字幕重畳装置からのデジタル字幕データの重畳およびデジタル字幕データの重畳された素材データにおけるデジタル字幕データの編集の少なくとも一方を行い、デジタル字幕データの重畳された素材データを上記マトリックススイッチャを介してビデオサーバに収録する構成としたバンクシステムである。【選択図】  図１
2008226295.tif 000002
【特許請求の範囲】
【請求項１】
少なくとも動画素材を編集して送出するバンクシステムにおいて、該バンクシステム内のマトリックススイッチャのリエントリー系統にデジタル字幕インサータを導入し、上記デジタル字幕インサータで、上記マトリックススイッチャのリエントリー系統を介して入力した、字幕データの入っていない素材データにデジタル字幕重畳装置からのデジタル字幕データの重畳およびデジタル字幕データの重畳された素材データにおけるデジタル字幕データの編集の少なくとも一方を行い、デジタル字幕データの重畳された素材データを上記マトリックススイッチャを介してビデオサーバに収録する構成としたことを特徴とするバンクシステム。
【発明の詳細な説明】
【技術分野】
【０００１】
本発明は、ＣＭ、番組、ＶＡＦ(Video Audio Filing)などの動画および静止画素材をビデオサーバに収録するシステムにおいて、デジタル字幕データが入っていない素材データへのデジタル字幕データの重畳、もしくはあらかじめ重畳されているデジタル字幕データの編集に関するものである。
【背景技術】
【０００２】
図３は、番組バンクシステムにおける従来の素材登録系統図である。従来のＣＭ、番組、ＶＡＦなどの動画および静止画素材をビデオサーバに収録するバンクシステムには、バンクシステム内に字幕重畳システムが導入されておらず、デジタル字幕データの重畳された素材データをビデオサーバに収録するしかなかった。即ち、バンク登録コントローラ４の制御により、ＶＴＲ１等からデジタル字幕データの重畳された素材データをマトリックススイッチャ２を介してビデオサーバ３に収録するしかなかった。
【特許文献１】特開平１０-２７１３９２号公報
【発明の開示】
【発明が解決しようとする課題】
【０００３】
そのため、バンクシステム内において、デジタル字幕データが入っていない素材データにデジタル字幕データを重畳することや、あらかじめ重畳されているデジタル字幕データの編集ができず、緊急にデジタル字幕データを差し替える必要が生じた場合、対応が取れなかった。
例えば、外国映画やアニメなどをファイリングした素材のプレビュー時、既に重畳されているデジタル字幕に放送禁止用語や各放送局のトラフィックルールに基づいた使用禁止用語などの不適切な表現があった場合、
１）字幕データの作成元にマスターテープを送り返す、２）作成元でテープを作り直す、３）再び放送局にマスターテープを送る、４）放送局の登録卓で再ファイリングをする、５）収録素材のプレビュー作業を行う、といった手順が発生する。
従って、放送日まで時間のない素材については、放送予定を変更し別の素材に差し替える必要があり、それによって番宣素材(ＣＭ)の差し替えも同時に必要になってくるため、字幕重畳の業務担当にとって作業量の増加が発生することになる。
また、字幕重畳システム単体としてＶＴＲからのタイムコードを必要とする場合が多く、通常それはＶＴＲのリモートコネクタから取得する。ここで、番組バンクシステムとしても、ＶＴＲ制御を行うためにリモートコネクタを使用するので、リモートコネクタの使用を双方で取り合う形となり、実現には至らなかった。
本発明はこれらの欠点を除去し、デジタル字幕データの入っていない素材データや、既に重畳されているデジタル字幕データに対し、容易にデジタル字幕データを追加、編集することのできる番組バンクシステムの実現を目的とする。
【課題を解決するための手段】
【０００４】
本発明は上記目的を達成するため、少なくとも動画素材を編集して送出するバンクシステムにおいて、該バンクシステム内のマトリックススイッチャのリエントリー系統にデジタル字幕インサータを導入し、上記デジタル字幕インサータで、上記マトリックススイッチャのリエントリー系統を介して入力した、字幕データの入っていない素材データにデジタル字幕重畳装置からのデジタル字幕データの重畳およびデジタル字幕データの重畳された素材データにおけるデジタル字幕データの編集の少なくとも一方を行い、デジタル字幕データの重畳された素材データを上記マトリックススイッチャを介してビデオサーバに収録する構成としたバンクシステムである。
【発明の効果】
【０００５】
本発明によれば、複数のＶＴＲから字幕重畳を可能とし、それをビデオサーバに登録することで、番組バンクシステムとしてデジタル字幕重畳機能を実現することができる。
また、ビデオサーバに収録済みの素材データに対し、字幕データを新規追加、および字幕データの編集が可能となる。
【発明を実施するための最良の形態】
【０００６】
以下、本発明の一実施例について、図１、図２を用いて詳細に説明する。
（１）まず、マトリックススイッチャ２のリエントリー系統に導入した字幕インサータ８で、ＶＴＲ１からの字幕なし素材データと字幕重畳装置７からの字幕データを重畳し、その信号を再びマトリックススイッチャ２に戻しビデオサーバ３へ登録を行う構成、動作について説明する。
１）図１に示すバンクシステムのマトリクススイッチャ２のリエントリールートにデジタル字幕インサータ８を追加し、各々のＶＴＲ１に付属のタイムコードコネクタにタイムコード切替器５、タイムコードリーダ６を接続する。
２）登録プレビュー卓９からデジタル字幕を重畳したい素材データの収録されたＶＴＲ１を選択する。
（３）登録プレビュー卓９から登録コントローラ４を介し、ＶＴＲ１の再生、マトリクススイッチャ２などの制御を行い、映像・音声系統を接続する。
４）登録プレビュー卓９の字幕データ追加編集画面(図２)にある字幕データ追加・編集エリアを使用し、重畳したい文字列をデジタル字幕重畳装置７からデジタル字幕インサータ８に入力する。
５）次に、入力した字幕データのＯＮおよびＯＦＦ位置を、素材データの頭出しを行い決定する。
６）上記４）、５）を繰り返し行い、重畳する字幕内容と字幕データのＯＮおよびＯＦＦの位置を確定する。
７）ビデオサーバ３への収録を開始するとき、ＶＴＲ１から再生された素材データが、マトリクススイッチャ２を通って、デジタル字幕インサータ８に入力される。このとき、ＶＴＲ１付属のタイムコードコネクタ(音声形式)からタイムコード切替器５を介してタイムコードを取得し、その信号をタイムコードリーダ６で字幕重畳装置専用プロトコルに変換し、字幕重畳装置７に入力する。このタイムコードによりデジタル字幕を重畳するタイミングを計る。ここで、この選択制御に関しては登録コントローラ４からの外部制御により行う。
８）そして、デジタル字幕インサータ８でデジタル字幕が重畳された素材データは、再びマトリクススイッチャ２を通って、ビデオサーバ３のデコーダに入力され、字幕付き素材データとして、ファイリングが行われる。同時に登録プレビュー卓９にも字幕付き素材データが入力される。
９）登録プレビュー卓９では、従来のシステムからある「収録している素材データをプレビューする」機能を使用しデジタル字幕データが正常に重畳されているか確認することが出来る。
１０）収録後、ＤＢ(データベース)１０ヘデジタル字幕が重畳された素材データを更新する。
【０００７】
（２）次に、マトリックススイッチャ２のリエントリー系統に導入した字幕インサータ８で、ビデオサーバ３に収録された字幕なし素材データと字幕重畳装置７からの字幕データを重畳し、その信号を再びマトリックススイッチャ２に戻しビデオサーバ３へ再登録を行う構成、動作について説明する。
１）図１に示すバンクシステムのマトリクススイッチャ２のリエントリールートにデジタル字幕インサータ８を追加する。
２）登録プレビュー卓９から、デジタル字幕を重畳したいビデオサーバ３に収録された字幕なし素材データを選択する。
３）登録プレビュー卓９から登録コントローラ４を介し、マトリクススイッチャ２、ビデオサーバ３の再生、収録などの制御を行い、映像・音声系統を接続する。
４）登録プレビュー卓９の字幕データ追加編集画面(図２)にある字幕データ追加・編集エリアを使用し、重畳したい文字列を入力する。
５）次に、入力した字幕データのＯＮおよびＯＦＦ位置を、ビデオサーバ３に収録された字幕なし素材データの頭出しを行い決定する。
６）上記４）、５）を繰り返し行い、追加もしくは編集した字幕内容と字幕データのＯＮおよびＯＦＦの位置を確定する。
７）一部の字幕データのみを編集した場合、その字幕データが入っている本編イベントデータの先頭位置に、ビデオサーバ３内の字幕なし素材データを頭出しする。字幕データがない素材データに対して、新規で字幕データを重畳する場合は、ビデオサーバ３内の素材データの先頭位置に頭出しを行う。
８）ビデオサーバ３への収録開始をするとき、上記４）、５）で追加・編集をした字幕データをデジタル字幕重畳装置７が使用できるフォーマットでファイルを作成し、デジタル字幕重畳装置７に転送を行う。
９）ビデオサーバ３から再生された字幕なし素材データがマトリクススイッチャ２を通って、デジタル字幕インサータ８に入力される。このとき、素材データに入っているタイムコードを取得し、デジタル字幕を重畳するタイミングを計る。
１０）そして、デジタル字幕インサータ８でデジタル字幕が重畳された素材データは、再びマトリクススイッチャ２を通って、ビデオサーバ３のデコーダに入力され、字幕付き素材データ(別の素材データ)として、ファイリングが行われる。同時に登録プレビュー卓９にも字幕付き素材データが入力される。
１１）登録プレビュー卓９では、従来のシステムからある「収録している素材データをプレビューする」機能を使用し、デジタル字幕データが正常に重畳されているか確認することが出来る。
１２）収録後、ＤＢ(データベース)１０ヘデジタル字幕が重畳された素材データを更新する。
以上説明したように、本発明によれば、複数のＶＴＲから字幕重畳を可能とし、それをビデオサーバに登録することで、番組バンクシステムとしてデジタル字幕重畳機能を実現することができる。また、ビデオサーバに収録済みの素材データに対し、字幕データを新規に追加すること、および字幕データの編集が可能となる。
【図面の簡単な説明】
【０００８】
【図１】本発明の番組バンクシステムにおける素材登録系統の一実施例を示すブロック図
【図２】本発明の登録プレビュー卓の字幕データ追加編集画面を示す模式図
【図３】従来の番組バンクシステムにおける素材登録系統の一例を示すブロック図
【符号の説明】
【０００９】
１：ＶＴＲ、２：マトリックススイッチャ、３：ビデオサーバ、４：バンク登録コントローラ、５：タイムコード切替器、６：タイムコードリーダ、７：デジタル字幕重畳装置、８：デジタル字幕インサータ、９：登録プレビュー卓、１０：ＤＢ(データベース)。
【図１】
2008226295.tif 000003
【図２】
2008226295.tif 000004
【図３】
2008226295.tif 000005